(57)【要約】      （修正有）【課題】自動起倒型標的、及び１つ又は複数の前記自動起倒型標的を備えた標的組立体を提供する。【解決手段】台座７と、台座に設置される支持体８と、支持体に回転可能に設置される回転軸６と、標的部ベース５を介して前記回転軸に固定される標的部４と、駆動装置１０により駆動され回転する駆動輪１１と、前記支持体と前記標的部ベースとの間に回転自在に前記回転軸に嵌着され、前記駆動輪と噛み合い前記駆動輪により駆動され回転する従動輪９と、前記標的部ベースの従動輪寄りの一側に設置され、通電時、磁力を発生させ前記従動輪を吸着し、前記従動輪を前記標的部ベース及び前記回転軸に対して固定し、通電遮断時、磁力が消え、前記従動輪への吸着を解除する電磁装置１２と、を備える。【選択図】図３
0003209433.tif 000002
【実用新案登録請求の範囲】
【請求項１】
台座と、
前記台座に設置される支持体と、
前記支持体に回転可能に設置される回転軸と、
標的部ベースを介して前記回転軸に固定される標的部と、
駆動装置により駆動され回転する駆動輪と、
前記支持体と前記標的部ベースとの間に回転自在に前記回転軸に嵌着され、前記駆動輪と噛み合い、前記駆動輪により駆動され回転する従動輪と、
前記標的部ベースの従動輪寄りの一側に設置され、通電時、磁力を発生させ前記従動輪を吸着し、前記従動輪を前記標的部ベース及び前記回転軸に対して固定し、通電遮断時、磁力が消え、前記従動輪への吸着を解除する電磁装置と、を備えることを特徴とする自動起倒型標的。
【請求項２】
前記回転軸に対して前記標的部と対向して前記標的部ベースの下端に設置されるカウンターウエイトをさらに備えることを特徴とする請求項１に記載の自動起倒型標的。
【請求項３】
前記回転軸が前記標的部を起立位置に起立させるまで回転すると、前記電磁装置への給電を遮断する給電遮断装置をさらに備えることを特徴とする請求項２に記載の自動起倒型標的。
【請求項４】
前記ベースに前記標的部の裏面と対面して設置されるバッファをさらに備えることを特徴とする請求項１〜３のいずれかに記載の自動起倒型標的。
【請求項５】
前記バッファは、ばね又はＵ型弾性シートであることを特徴とする請求項４に記載の自動起倒型標的。
【請求項６】
前記ベースに前記標的部の裏面と対面して設置され、前記標的部からの衝撃を受けて動作する採点装置をさらに備えることを特徴とする請求項４に記載の自動起倒型標的。
【請求項７】
前記ベースに前記標的部の裏面と対面して設置され、前記標的部が転倒して接触されると、前記電磁装置への給電を再開する転倒通電装置をさらに備えることを特徴とする請求項４に記載の自動起倒型標的。
【請求項８】
信号・電力整合装置をさらに備えることを特徴とする請求項４に記載の自動起倒型標的。
【請求項９】
請求項１〜8のいずれかに記載の１つ又は複数の自動起倒型標的を備えた標的組立体であって、
一部又は全部の自動起倒型標的の標的部の起立又は転倒を制御するコントローラを備えることを特徴とする標的組立体。
【考案の詳細な説明】
【技術分野】
【０００１】
本考案は、起倒型標的に関し、特に自動起倒型標的及び当該自動起倒型標的を備えた標的組立体に関する。
【背景技術】
【０００２】
射撃訓練又は競技の際に、通常、標的を使用する必要がある。このような標的は、好ましくは自動起倒可能であり、つまり着弾されると転倒し、所定時間が経過すると自動的に起立するものである。このように、標的に対する手動操作による安全リスクを回避できるとともに、手動による標的起倒に起因する時間遅延を減少させ、射撃訓練又は競技の流れが速やかになる。
【０００３】
中国実用新案登録ＣＮ２０１１７７４８３Ｙは、起倒回転型標的装置を開示している。図１に示すように、当該標的装置は、標的ボックス６’、標的支柱２’、標的板１’及び制御システムを備える。当該標的ボックス６’内に動力装置が設置され、側面に起倒軸７’が設置される。当該動力装置は、起倒モータ９’及び変換装置８’を備え、起倒モータ９’の出力軸が変換装置８’の入力軸に固定され接続される。当該起倒軸７’と標的ボックス６’との間に起倒軸受け３’が設置される。標的支柱２’は、起倒軸７’に直交し、下端部に回転モータ５’が設置される。当該標的支柱２’と起倒軸７’との間に回転軸受け４’が設置される。当該標的支柱２’は、回転軸受け４’を貫通し回転モータ５’の出力軸に固定され接続される。標的板１’は、標的支柱２’の上端部に設置される。
【考案の概要】
【考案が解決しようとする課題】
【０００４】
当該起倒回転型標的装置において、変換装置８’はゼネバ機構であり、当該ゼネバ機構における原動車と従動輪との相互作用により、標的板の起倒が実現される。標的板を起倒させる必要がある時、起倒モータは原動車の回転を駆動する。このような標的板の起倒方式は、モータとの力合わせの必要があるため、モータへの高負荷を招きやすい。また、標的板の誤動作が生じやすく、即ち、着弾されると適時に転倒したり、静置状態で起立位置を維持したりすることができない。
【課題を解決するための手段】
【０００５】
従来技術の問題に対して、本考案は、静置状態で起立位置を維持し、着弾されると滑らかに転倒し、誤動作を回避できる自動起倒型標的を提供する。
【０００６】
本考案に係る自動起倒型標的は、台座と、台座に設置される支持体と、当該支持体に回転可能に設置される回転軸と、標的部ベースを介して当該回転軸に固定される標的部と、駆動装置により駆動されて回転する駆動輪と、当該支持体と当該標的部ベースとの間に回転自在に当該回転軸に嵌着され、当該駆動輪と噛み合い当該駆動輪により駆動され回転する従動輪と、当該標的部ベースの従動輪寄りの一側に設置され、通電時、磁力を発生させ当該従動輪を吸着し、当該従動輪を当該標的部ベース及び当該回転軸に対して固定し、通電遮断時、磁力が消え、当該従動輪への吸着を解除する電磁装置と、を備える。
【０００７】
好ましくは、当該自動起倒型標的は、当該回転軸に対して当該標的部と対向して当該標的部ベースの下端に設置されるカウンターウエイトをさらに備える。
【０００８】
好ましくは、当該自動起倒型標的は、当該回転軸が当該標的部を起立位置に起立させるまで回転すると、当該電磁装置への給電を遮断する給電遮断装置をさらに備える。
【０００９】
好ましくは、当該自動起倒型標的は、当該ベース上に当該標的部の裏面と対面して設置されるバッファをさらに備え、当該バッファは、ばね又はＵ型弾性片である。
【００１０】
好ましくは、当該自動起倒型標的は、当該ベース上に当該標的部の裏面と対面して設置され、当該標的部からの衝撃を受けて動作する採点装置をさらに備える。
【００１１】
好ましくは、当該自動起倒型標的は、当該ベース上に当該標的部の裏面と対面して設置され、当該標的部が転倒して接触すると、当該電磁装置への給電を再開する転倒通電装置をさらに備える。
【００１２】
好ましくは、当該自動起倒型標的は、信号・電力整合装置をさらに備える。
【００１３】
好ましくは、当該信号・電力整合装置は、前記台座に設置され、台座における信号及び電力線を整合する。
【００１４】
さらに、本考案は、１つ又は複数の上記自動起倒型標的を備えた標的組立体を提供し、当該標的組立体は、一部又は全部の自動起倒型標的における標的部の起立又は転倒を制御するコントローラを備える。
【図面の簡単な説明】
【００１５】
本考案の技術をより明確に説明するために、以下、実施例に使用する図面を簡単に説明する。なお、下記図面は本考案のいくつかの実施例であり、当業者は、創造的努力をせずに、これらの図面に基づきほかの図面を得ることができる。
【００１６】
【図１】従来技術に係る起倒回転型標的装置の模式図である。
【図２】本考案に係る自動起倒型標的を備えた標的組立体の概略図である
【図３】本考案に係る自動起倒型標的の概略斜視図である。
【図４】本考案に係る自動起倒型標的の起立位置での状態を示す側面図である。
【図５】本考案に係る自動起倒型標的の転倒位置での状態を示す側面図である。
【図６】本考案に係る自動起倒型標的の平面図である。
【考案を実施するための形態】
【００１７】
以下、本考案の実施例の図面を参照して、本考案の実施例における技術を明確に、且つ完全に説明する。
【００１８】
図２に示すように、本考案に係る標的組立体は、複数の自動起倒型標的１、及びこれらの自動起倒型標的を制御するコントローラ２から構成される。自動起倒型標的１は１列又は複数列に配列され、行ごとに、必要に応じて１つ又は複数の自動起倒型標的１が設置される。使用者がエアライフル３で１つの自動起倒型標的１に命中すると、その標的部４（図３参照）が転倒する。所定時間後、コントローラ２は、当該自動起倒型標的１の標的部４を起立位置に起立させ、使用者の再射撃に供するように制御する。このようにして、使用者は静止的な標的射撃を行うことができる。
【００１９】
コントローラ２は、１つ又は複数の自動起倒型標的１の標的部４を起立位置に位置させ、残りの自動起倒型標的1の標的部４を転倒位置に位置させるようにランダムに制御することができる。所定時間が経過すると、使用者が全部又は一部の起立位置にある標的部４に命中させなくても、コントローラ２は、元々起立位置にある一部の自動起倒型標的１の標的部４を転倒させ、元々転倒位置にある一部の自動起倒型標的１の標的部４を起立位置に起立させるように制御することによって、使用者は動的な標的射撃を行うことができる。好ましい実施例では、当該コントローラ２はコンピュータであり、たとえばコンピュータはすべての標的の自動起倒を制御する。
【００２０】
図２〜６は本考案に係る自動起倒型標的１の概略図である。
当該自動起倒型標的１は、標的部ベース５を介して回転軸６に固定される標的部４を備える。回転軸６は台座７に固定された支持体８に回転可能に設置される。従動輪９は、支持体８と標的部ベース５との間で回転軸６に嵌着され、回転軸６に対して回転自在である。従動輪９は、駆動装置１０により駆動される駆動輪１１と噛み合い、駆動輪１１により駆動され回転する。
【００２１】
標的部ベース５の従動輪９寄りの一側に電磁装置１２が設置される。通電時、当該電磁装置１２は、磁力を発生させ当該従動輪９を吸着し、当該従動輪９を当該標的部ベース５及び回転軸６に対して固定する。それにより、従動輪９が駆動輪１１によって駆動され回転する時に、従動輪９は、回転軸６の回転を駆動し、標的部４の起立を実現する。
【００２２】
カウンターウエイト１３（図４参照）は、標的部４の重量のバランスを取るために、回転軸６に対して標的部４と対向して標的部ベース５の下端に設置される。また、標的部４が転倒位置から起立位置に起立する時、カウンターウエイト１３は当該標的部４を速やかに起立させることができる。
【００２３】
当該自動起倒型標的１は、さらに給電遮断装置１４が設置される。回転軸６が標的部４を起立させるまで回転すると、給電遮断装置１４は、電磁装置１２への給電を遮断する。それにより、電磁装置１２の磁力が消え従動輪９が解放される。この時、標的部４は、カウンターウエイト１３の作用によって起立位置に維持される。標的部４が着弾されると、弾丸の衝撃力によって標的部４とカウンターウエイト１３とのバランスが崩れ、標的部４が転倒する。従動輪９が解放され回転軸６まわりに回転自在になったため、標的部４の転倒を妨げない。
【００２４】
ベース７には、標的部４の裏面と対面する位置に標的部４の転倒時の衝撃を緩衝するバッファ１５が設置され、これには、たとえば、ばね、Ｕ字弾性シート、又はほかの適切な装置が用いされる。
【００２５】
また、ベース７には、さらに、標的部４の裏面と対面する位置に採点装置１６が設置されてもよい。標的部４が転倒し、当該採点装置１６に１回接触すると、当該採点装置は１点累積する。
【００２６】
ベース７には、さらに、標的部４の裏面と対面する位置に転倒通電装置１７が設置されてもよい。標的部４が転倒して当該転倒通電装置１７に接触すると、当該転倒通電装置１７は、電磁装置１２への給電を再開し、それにより、当該電磁装置１２が磁力を再発生させ当該従動輪９を吸着し、当該従動輪９を当該標的部ベース５及び回転軸６に対して固定する。それにより、コントローラ２が駆動装置１０を起動し駆動輪１１の回転を駆動すると、駆動輪１１は、従動輪９の回転を駆動し標的部４を再起立させることができる。
【００２７】
また、台座７には、信号と電気回路及び装置を整合し当該自動起倒型標的１をよりきれいにするための信号・電力整合装置１８が設置されてもよい。
【００２８】
以上、本考案の好ましい実施形態を説明したが、当業者は、本考案の原理を逸脱せずに様々な変更や改善を行うことができ、これらの変更や改善も本実用新案登録請求の範囲に属する。
【図１】
0003209433.tif 000003
【図２】
0003209433.tif 000004
【図３】
0003209433.tif 000005
【図４】
0003209433.tif 000006
【図５】
0003209433.tif 000007
【図６】
0003209433.tif 000008